(57)【要約】  本技術に係る埋め込み型照明装置は、灯具ユニットと、光源ユニットとを具備する。前記灯具ユニットは、天井を含む壁部に埋め込まれる外郭部と、第１の嵌合部と有する。前記光源ユニットは、照明としての光を発する光源部と、前記照明以外の付加機能を有する付加機能部と、前記第１の嵌合部に着脱自在に嵌合する第２の嵌合部とを有し、前記嵌合により前記外郭部内に配置される。
2019008938.tif 000002
【特許請求の範囲】
【請求項１】
天井を含む壁部に埋め込まれる外郭部と、第１の嵌合部と有する灯具ユニットと、
照明としての光を発する光源部と、前記照明以外の付加機能を有する付加機能部と、前記第１の嵌合部に着脱自在に嵌合する第２の嵌合部とを有し、前記嵌合により前記外郭部内に配置される光源ユニットと
を具備する埋め込み型照明装置。    
【請求項２】
請求項１に記載の埋め込み型照明装置であって、
前記第２の嵌合部は、前記第１の嵌合部に着脱自在に嵌合する羽根部を有する
埋め込み型照明装置。
【請求項３】
請求項２に記載の埋め込み型照明装置であって、
第２の嵌合部は、側周面を有する嵌合部本体をさらに有し、
前記羽根部は、前記嵌合部本体の側周面に設けられる
埋め込み型照明装置。
【請求項４】
請求項２に記載の埋め込み型照明装置であって、
前記灯具ユニットは、前記羽根部を前記第１の嵌合部へと導くガイドをさらに有する
埋め込み型照明装置。
【請求項５】
請求項４に記載の埋め込み型照明装置であって、前記ガイドは、前記光源ユニットの移動に基づく前記羽根部の移動をガイドする第１のガイドと、前記光源ユニットの回転に基づく前記羽根部の回転をガイドする、前記第１のガイド及び前記第１の嵌合部と繋がる第２のガイドとを有する
埋め込み型照明装置。
【請求項６】
請求項５に記載の埋め込み型照明装置であって、
前記光源ユニットは、挿入方向に向けて移動されて前記外郭部内に挿入され、
前記第２のガイドは、前記光源ユニットの第１の回転方向への回転に応じて、前記羽根部を前記第１のガイドから前記第１の嵌合部へと導き、かつ、前記第１のガイトと繋がる位置に、前記第１の回転方向において前記挿入方向へ向けて傾斜する傾斜部を有する
埋め込み型照明装置。
【請求項７】
請求項５に記載の埋め込み型照明装置であって、
前記光源ユニットは、挿入方向に向けて移動されて前記外郭部内に挿入され、
前記第２のガイドは、前記光源ユニットの第２の回転方向への回転に応じて、前記羽根部を前記第１の嵌合部から前記第１のガイドへと導き、
前記第１の嵌合部は、前記第２の回転方向において前記挿入方向へ向けて傾斜する底部を有し、
前記羽根部は、前記第１の嵌合部との嵌合時に前記底部と対向する、前記第２の回転方向で前記挿入方向へ向けて傾斜する対向面を有する
埋め込み型照明装置。
【請求項８】
請求項１に記載の埋め込み型照明装置であって、
前記灯具ユニットは、第１の端子をさらに有し、
前記光源ユニットは、前記第２の嵌合部の前記第１の嵌合部への嵌合に応じて、前記第１の端子に電気的に接続される第２の端子をさらに有する
埋め込み型照明装置。
【請求項９】
請求項８に記載の埋め込み型照明装置であって、
前記第１の端子及び前記第２の端子のうち少なくとも一方は、板バネにより構成される
埋め込み型照明装置。
【請求項１０】
請求項８に記載の埋め込み型照明装置であって、
光源ユニットは、側周面を有する筐体を有し、
第２の端子は、前記側周面に設けられる
埋め込み型照明装置。
【請求項１１】
請求項１に記載の埋め込み型照明装置であって、
前記第２の嵌合部は、前記１の嵌合部との嵌合に応じて、前記外郭部に対して熱的に接続される
埋め込み型照明装置。
【請求項１２】
請求項１１に記載の埋め込み型照明装置であって、
前記外郭部は、前記第２の嵌合部側に向けて突出し、前記第２の嵌合部と熱的に接続される突出部をさらに有する
埋め込み型照明装置。
【請求項１３】
請求項１１に記載の埋め込み型照明装置であって、
前記光源ユニットは、前記光源部を含む発熱源からの熱を前記第２の嵌合部へ伝達する伝熱部をさらに有する
埋め込み型照明装置。
【請求項１４】
請求項１３に記載の埋め込み型照明装置であって、
前記発熱源は、前記光源部を含む第１の発熱源と、前記光源部以外の発熱源を含む第２の発熱源とを有し、
前記伝熱部は、前記第１の発熱源の熱を前記第２の嵌合部に伝達する第１の伝熱部と、前記第２の発熱源の熱を前記第２の嵌合部へ伝達する第２の伝熱部とを有する
埋め込み型照明装置。
【請求項１５】
請求項１４に記載の埋め込み型照明装置であって、
前記第２の嵌合部は、前記第１の伝熱部から熱が伝達される第１の嵌合部材と、前記第１の嵌合部材とは分離して構成され、前記第２の伝熱部から熱が伝達される第２の嵌合部材とを有する
埋め込み型照明装置。
【請求項１６】
天井を含む壁部に埋め込まれる外郭部と、第１の嵌合部と有する灯具ユニットに着脱自在な光源ユニットであって、
照明としての光を発する光源部と、前記照明以外の付加機能を有する付加機能部と、前記第１の嵌合部に着脱自在に嵌合する第２の嵌合部とを有し、前記嵌合により前記外郭部内に配置される
光源ユニット。
【発明の詳細な説明】
【技術分野】
【０００１】
本技術は、埋め込み型照明装置及びこの埋め込み型照明装置に用いられる光源ユニットに関する。
【背景技術】
【０００２】
従来から照明器具の一種として、天井に埋め込まれて設置されるダウンライトが広く知られている。従来のダウンライトは、天面に埋め込まれた灯具に対して白熱電球などのランプを装着して使用するタイプの製品が主であり、灯具とランプが分かれて個別に存在する製品であった。一方、近年においては、省エネ、長寿命等の観点からＬＥＤ（Light Emitting Diode）がランプの光源として使用されるようになり、急速に普及している。【０００３】
ＬＥＤは、その長寿命という特性から、白熱電球と比べて取り換えの頻度が少なくて済むため、灯具から光源部分が取り外しできない、灯具とランプが一体的に構成されたＬＥＤダウンライトが普及するようになった。【０００４】
しかしながら、ダウンライトの設置・交換は、電気工事士の資格が必要な作業であるため、ユーザが、一度設置したＬＥＤダウンライトの色、明るさ、配光角等を変えたいと思っても簡単には光源部分を交換することができないといった問題が生じてしまった。【０００５】
このため、近年においては、ＬＥＤ光源でありながら、灯具に対して着脱自在に構成されたランプを有するダウンライトが登場してきた（例えば、特許文献１参照）。【０００６】
一方、近年においては、（ダウンライトではない）吊り下げ型等の照明器具に用いられるランプ（電球）において、スピーカによる音響機能など、照明以外の機能が付加されたランプが知られるようになってきている（例えば、特許文献２参照）。
【先行技術文献】
【特許文献】
【０００７】
【特許文献１】特開２０１０−１２９４８９号公報
【特許文献２】特開２０１４−５３１８０号公報
【発明の概要】
【発明が解決しようとする課題】
【０００８】
吊り下げ型等の照明器具においては、灯具に着脱自在なランプが照明以外の付加機能を有していることが知られているが、ダウンライトにおいては、灯具に着脱自在なランプが付加機能を有することは知られていない。【０００９】
以上のような事情に鑑み、本技術の目的は、灯具ユニットに着脱自在な光源ユニットが照明以外の付加機能を有する埋め込み型照明装置等の技術を提供することにある。
【課題を解決するための手段】
【００１０】
本技術に係る埋め込み型照明装置は、灯具ユニットと、光源ユニットとを具備する。
前記灯具ユニットは、天井を含む壁部に埋め込まれる外郭部と、第１の嵌合部と有する。
前記光源ユニットは、照明としての光を発する光源部と、前記照明以外の付加機能を有する付加機能部と、前記第１の嵌合部に着脱自在に嵌合する第２の嵌合部とを有し、前記嵌合により前記外郭部内に配置される。【００１１】
これにより、灯具ユニットに着脱自在な光源ユニットが照明以外の付加機能を有する埋め込み型照明装置を提供することができる。【００１２】
上記埋め込み型照明装置において、前記第２の嵌合部は、前記第１の嵌合部に着脱自在に嵌合する羽根部を有していてもよい。【００１３】
上記埋め込み型照明装置において、第２の嵌合部は、側周面を有する嵌合部本体をさらに有し、前記羽根部は、前記嵌合部本体の側周面に設けられてもよい。【００１４】
上記埋め込み型照明装置において、前記灯具ユニットは、前記羽根部を前記第１の嵌合部へと導くガイドをさらに有していてもよい。【００１５】
上記埋め込み型照明装置において、前記ガイドは、前記光源ユニットの移動に基づく前記羽根部の移動をガイドする第１のガイドと、前記光源ユニットの回転に基づく前記羽根部の回転をガイドする、前記第１のガイド及び前記第１の嵌合部と繋がる第２のガイドとを有していてもよい。【００１６】
上記埋め込み型照明装置において、前記光源ユニットは、挿入方向に向けて移動されて前記外郭部内に挿入され、前記第２のガイドは、光源ユニットの第１の回転方向への回転に応じて、羽根部を第１のガイドから第１の嵌合部へと導き、かつ、前記第１のガイトと繋がる位置に、前記第１の回転方向において前記挿入方向へ向けて傾斜する傾斜部を有していてもよい。【００１７】
上記埋め込み型照明装置において、前記光源ユニットは、挿入方向に向けて移動されて前記外郭部内に挿入され、前記第２のガイドは、光源ユニットの第２の回転方向への回転に応じて、羽根部を第１の嵌合部から第１のガイドへと導き、前記第１の嵌合部は、前記第２の回転方向において前記挿入方向へ向けて傾斜する底部を有し、前記羽根部は、第１の嵌合部との嵌合時に前記底部と対向する、前記第２の回転方向で前記挿入方向へ向けて傾斜する対向面を有していてもよい。【００１８】
上記埋め込み型照明装置において、前記灯具ユニットは、第１の端子をさらに有し、前記光源ユニットは、前記第２の嵌合部の前記第１の嵌合部への嵌合に応じて、前記第１の端子に電気的に接続される第２の端子をさらに有していてもよい。【００１９】
上記埋め込み型照明装置において、前記第１の端子及び前記第２の端子のうち少なくとも一方は、板バネにより構成されていてもよい。【００２０】
上記埋め込み型照明装置において、光源ユニットは、側周面を有する筐体を有し、
第２の端子は、前記側周面に設けられていてもよい。【００２１】
上記埋め込み型照明装置において、前記第２の嵌合部は、前記１の嵌合部との嵌合に応じて、前記外郭部に対して熱的に接続されてもよい。【００２２】
上記埋め込み型照明装置において、前記外郭部は、前記第２の嵌合部側に向けて突出し、前記第２の嵌合部と熱的に接続される突出部をさらに有していてもよい。【００２３】
上記埋め込み型照明装置において、前記光源ユニットは、前記光源部を含む発熱源からの熱を前記第２の嵌合部へ伝達する伝熱部をさらに有していてもよい。【００２４】
上記埋め込み型照明装置において、前記発熱源は、前記光源部を含む第１の発熱源と、前記光源部以外の発熱源を含む第２の発熱源とを有し、前記伝熱部は、前記第１の発熱源の熱を前記第２の嵌合部に伝達する第１の伝熱部と、前記第２の発熱源の熱を前記第２の嵌合部へ伝達する第２の伝熱部とを有していてもよい。【００２５】
上記埋め込み型照明装置において、前記第２の嵌合部は、前記第１の伝熱部から熱が伝達される第１の嵌合部材と、前記第１の嵌合部材とは分離して構成され、前記第２の伝熱部から熱が伝達される第２の嵌合部材とを有していてもよい。【００２６】
本技術に係る光源ユニットは、天井を含む壁部に埋め込まれる外郭部と、第１の嵌合部と有する灯具ユニットに着脱自在な光源ユニットであって、照明としての光を発する光源部と、前記照明以外の付加機能を有する付加機能部と、前記第１の嵌合部に着脱自在に嵌合する第２の嵌合部とを有し、前記嵌合により前記外郭部内に配置される。
【発明の効果】
【００２７】
以上のように、本技術によれば、灯具ユニットに着脱自在な光源ユニットが照明以外の付加機能を有する埋め込み型照明装置等の技術を提供することができる。
【図面の簡単な説明】
【００２８】
【図１】第１実施形態に係るダウンライトを下側からみた斜視図である。
【図２】第１実施形態に係るダウンライトを上側から見た斜視図である。
【図３】ソケット部を上方から見た図である。
【図４】灯具ユニットからソケット部を取り外したときの様子を示す分解斜視図である。
【図５】灯具ユニットにおける第１の嵌合部及びガイドを径方向の内側から見た模式図である。
【図６】光源ユニットを示す拡大図である。
【図７】光源ユニットの内部構造を示す模式的な側方断面図である。
【図８】ダウンライトの電気的な構成を示すブロック図である。
【図９】光源ユニット及びソケット部を上方から見た図である。
【図１０】光源ユニット及びソケット部を上方から見た図である。
【図１１】光源ユニットの第２の嵌合部における羽根部が、灯具ユニットの第１の嵌合部と嵌合されるときの様子を示す図である。
【図１２】光源ユニットの第２の嵌合部における羽根部が、灯具ユニットの第１の嵌合部から取り外されるときの様子を示す図である。
【図１３】第１の比較例に係るダウンライトを示す模式図である。
【図１４】第２の比較例に係るダウンライトを示す模式図である。
【図１５】第２実施形態に係るダウンライトを示す模式的な側方断面図である。
【図１６】第２実施形態に係る灯具ユニットを示す模式的な側方断面図である。
【図１７】伝熱の様子を示す模式図である。
【図１８】第２実施形態の変形例に係るダウンライトを示す模式的な側方断面図である
【発明を実施するための形態】
【００２９】
以下、本技術に係る実施形態を、図面を参照しながら説明する。
【００３０】
≪第１実施形態≫
＜ダウンライト１００の全体構成及び各部の構成＞
図１は、本技術の第１実施形態に係るダウンライト１００を下側からみた斜視図である。図２は、ダウンライト１００を上側から見た斜視図である。
【００３１】
第１実施形態に係るダウンライト１００（埋め込み型照明装置）は、天井に埋め込まれて使用されるタイプの照明器具であり、図１、図２に示すように、電源ユニット１０と、灯具ユニット２０と、光源ユニット５０とを備えている。
【００３２】
［電源ユニット１０］
電源ユニット１０は、天井裏に配置されており、天井裏に引き回された商用電源用の配線１と電気的に接続される。電源ユニット１０は、商用電源による交流電圧を直流電圧（定電圧）に変換（絶縁処理）し、この直流電圧を、灯具ユニット２０を介して光源ユニット５０へと供給する。なお、図２に示す例では、電源ユニット１０と、灯具ユニット２０とが別体である場合が示されているが、電源ユニット１０と、灯具ユニット２０とが一体的に構成されていてもよい。
【００３３】
［灯具ユニット２０］
灯具ユニット２０は、天井に設けられた埋め込み穴に対して下側から挿入され、天井に対して取り付けられる。灯具ユニット２０は、天井に埋め込まれる外郭部２１と、外郭部２１を天井に取り付けるための取り付けバネ２２と、外郭部２１の内部において上側に固定されたソケット部３０とを備えている。
【００３４】
外郭部２１は、金属材料によって構成されており、蓋部２１ｂを有する筒状に形成されている。外郭部２１は、下側に向けて徐々に径が広がるように形成された筒部２１ａと、筒部２１ａの上側を塞ぐ蓋部２１ｂと、筒部２１ａの下側に設けられたフランジ部２１ｃとを有する。外郭部２１において、蓋部２１ｂの下面、及び筒部２１ａの内周面に囲まれた空間により、光源ユニット５０を挿入するための空間が形成される。
【００３５】
取り付けバネ２２は、外郭部２１の外周面において左右対称の位置にそれぞれ１つずつ、左右対称に形成されている。取り付けバネ２２は、一方向に長い板状の金属板が折り曲げられるようにして構成されており、その付勢力によって灯具ユニット２０を天井に対して固定する。
【００３６】
図３は、ソケット部３０を上方から見た図である。図４は、灯具ユニット２０からソケット部３０を取り外したときの様子を示す分解斜視図である。
【００３７】
これらの図に示すように、ソケット部３０は、円環状のソケット部本体３１と、ソケット部本体３１に設けられた第１の嵌合部３２、ガイド３３及び第１の端子３６とを含む。
【００３８】
ソケット部本体３１は、３つのガイドピン３８を挿通させるための３つの挿通孔３７を有している。この３つの挿通孔３７は、ソケット部本体３１を上下方向（Ｚ軸方向）に貫通しており、周方向（θ方向）に等間隔（１２０°間隔）で配置されている。外郭部２１の蓋部２１ｂには、３つの挿通孔３７に対応する位置（１２０°間隔）に、３つの螺子穴（不図示）が形成されている。
【００３９】
ガイドピン３８は、その先端に、螺子穴に螺着するネジ部３８ａを有している。ガイドピン３８は、ソケット部本体３１の下側から挿通孔３７に挿通され、その後、ガイドピン３８の先端側に設けられたネジ部３８ａが、外郭部２１の蓋部２１ｂに設けられた螺子穴に螺着される。これにより、ソケット部３０が外郭部２１に対して固定される。
【００４０】
ソケット部本体３１は、第１の端子３６が取り付けられる部材であり、また、光源ユニット５０を着脱自在に保持する部材である。このため、ソケット部本体３１は、一定の強度を有する絶縁体材料によって構成される。ソケット部本体３１を構成する材料としては、例えば、ＡＢＳ（Acrylonitrile Butadiene Styrene）、ＰＢＴ（Polybutylene Terephthalate）、ＰＣ（Polycarbonate）等の樹脂が挙げられる。
【００４１】
第１の端子３６は、本実施形態では、その数が５つとされている。この５つの第１の端子３６は、ソケット部本体３１内において、周方向に沿って等間隔（７２°）で配置されている。５つの第１の端子３６のうち１つの第１の端子３６は、電源ユニット１０から引き出された２本の配線２のうちプラスの配線に電気的に接続される（つまり、この第１の端子は、プラス端子）。また、５つの第１の端子３６のうち他の１つの端子３６は、電源ユニット１０から引き出された２本の配線２のうちマイナスの配線に電気的に接続される（つまり、この第１の端子３６は、グランド端子）。
【００４２】
５つの第１の端子３６のうち、プラス端子、グランド端子以外の３つの第１の端子３６は、各種の用途に使用することが可能である。例えば、第１の端子３６は、備え付けの調光用、調色用の器具からの信号線が接続される調光用、調色用の端子として用いられてもよい。また、第１の端子３６は、停電が検出されたことが通知される信号線と接続される停電用の端子（この場合、ダウンライト１００は非常灯として使用される）として用いられてもよい。
【００４３】
なお、第１の端子３６は、少なくともプラス端子と、グランド端子の２つ設けられていればよく、他の３つの第１の端子３６は省略することも可能である。
【００４４】
第１の端子３６は、一方向に長い板状の金属部材が折り曲げられるようにして構成されており、板バネ状に形成されている。第１の端子３６は、一端側がソケット部３０に固定された固定端とされており、他端側がソケット部３０に固定されない自由端とされている。
【００４５】
第１の端子３６において、自由端側は、板ばね形状による自身の付勢力によって、径方向の内側に向けて付勢されている。自由端側の端部には、鉤爪部３６ｂが設けられており、この鉤爪部３６ｂがソケット部本体３１に対して掛けられることで、自由端側の位置が位置決めされている。
【００４６】
また、第１の端子３６において、自由端側の一部は、ソケット部本体３１の内周面よりも径方向の内側に突出している。第１の端子３６は、この突出している部分に、傾斜部３６ａを有している。この傾斜部３６ａは、反時計回り（光源ユニット５０が灯具ユニット２０に装着されるときに光源ユニット５０が回転される方向）の方向で、徐々に径方向の内側に向けて突出するようにその傾斜が設定されている。
【００４７】
第１の端子３６に用いられる材料としては、例えば、表面にニッケルメッキが施された真鍮、表面に金メッキが施された銅などが挙げられる。
【００４８】
灯具ユニット２０における第１の嵌合部３２は、光源ユニット５０における第２の嵌合部５３における羽根部５３ｂ（詳細は後述）を灯具ユニット２０に対して機械的に嵌合させるための機構である。また、ガイド３３は、羽根部５３ｂを第１の嵌合部３２まで導くための機構である。
【００４９】
図５は、灯具ユニット２０における第１の嵌合部３２及びガイド３３を径方向の内側から見た模式図である。なお、図５における一点鎖線は、光源ユニット５０の第２の嵌合部５３における羽根部５３ｂ（後述）が、ガイド３３内を移動する経路を示している。
【００５０】
図３及び図５を参照して、第１の嵌合部３２及びガイド３３は、周方向（θ方向）において等間隔（１２０°間隔）で３つ設けられている。なお、第１の嵌合部３２及びガイド３３の数、周方向での位置は、光源ユニット５０の羽根部５３ｂの数、位置に対応している。
【００５１】
ガイド３３は、光源ユニット５０の上下移動に基づく羽根部５３ｂの上下移動をガイドする第１のガイド３４と、光源ユニット５０の回転に基づく羽根部５３ｂの回転をガイドする第２のガイド３５とを有している。
【００５２】
第１のガイド３４は、ソケット部本体３１の内周面において、上下方向（Ｚ軸方向）に沿うように、且つ、径方向の外側に向けて凹むように（つまり、溝状に）形成されている。また、第１のガイド３４は、光源ユニット５０の羽根部５３ｂの先端側と同様の形状（ＸＹ方向）を有しており、羽根部５３ｂよりも若干大きい程度の大きさ（ＸＹ方向）とされている。
【００５３】
第２のガイド３５は、光源ユニット５０の反時計回り（第１の回転方向：光源ユニット５０が装着されるときの回転方向）の回転に応じて、羽根部５３ｂを第１のガイド３４から第１の嵌合部３２まで導くことが可能とされている。また、第２のガイド３５は、光源ユニット５０の時計回り（第２の回転方向：光源ユニット５０が取り外されるときの回転方向）の回転に応じて、羽根部５３ｂを第１の嵌合部３２から第１のガイド３４まで導くことが可能とされている。
【００５４】
第２のガイド３５は、第１のガイド３４の上部及び第１の嵌合部３２と繋がっており、第１のガイド３４に対して周方向で反時計回りの位置に配置されている。第２のガイド３５の上下方向の幅は、羽根部５３ｂの厚さ（Ｚ軸方向）よりも若干大きい程度とされている。また、第２のガイド３５は、第１のガイド３４と繋がる位置において下側の位置に、周方向に反時計回りの方向（第１の回転方向）で上側（挿入方向：光源ユニット５０が外郭部２１内に挿入される方向）に向けて傾斜する傾斜部３５ａを有している。
【００５５】
第１の嵌合部３２は、ソケット部本体３１の内周面側において上側の位置に、下側に向けて凹むように（つまり、溝状に）形成されている。なお、第１の嵌合部３２は、第１の端子３６が配置される位置よりも上側の位置に配置される。
【００５６】
第１の嵌合部３２は、第２のガイド３５に対して周方向で反時計回りの位置に、第２のガイド３５と繋がるように形成されている。また、第１の嵌合部３２は、第１のガイド３４の位置から反時計回りに１５°程度の位置に設けられている。なお、第１の嵌合部３２の底部３２ａは、周方向で時計回り（第２の回転方向）に上側（挿入方向）に向けて傾斜するように形成されている。
【００５７】
本実施形態では、第１のガイド３４に対して周方向で反時計回りの位置に第２のガイド３５及び第１の嵌合部３２が形成されているが、第１のガイド３４に対して時計回りの位置に第２のガイド３５及び第１の嵌合部３２が形成されていてもよい。
【００５８】
［光源ユニット５０］
図６は、光源ユニット５０を示す拡大図である。図７は、光源ユニット５０の内部構造を示す模式的な側方断面図である。
【００５９】
図６、図７に示すように、光源ユニット５０は、筐体５１と、透明カバー部材５２と、第２の嵌合部５３と、第２の端子５４と、当接部５５と、光源部５６と、ヒートシンク５７と、付加機能部５８と、光源制御基板５９と、機能部制御基板６０と、無線通信基板６１とを含む。
【００６０】
筐体５１は、円筒状の形状を有しており、上部の径が下部の径よりも小さくされている。なお、以降の説明では、筐体５１において径が小さい部分と、径が大きい部分とを区別する場合には、筐体５１の上部において径が小さい部分を小径部５１ａと呼び、筐体５１の下部において径が大きい部分を大径部５１ｂと呼ぶ。
【００６１】
筐体５１の小径部５１ａにおいて、その上部には、第１の嵌合部３２に嵌合する第２の嵌合部５３が設けられている。また、筐体５１の小径部５１ａにおいて、その側周面には、第１の端子３６と電気的に接続される第２の端子５４と、ソケット部本体３１の内周面に当接する当接部５５とが設けられている。一方、筐体５１の大径部５１ｂの下側には、透明カバー部材５２が設けられている。
【００６２】
筐体５１の小径部５１ａの高さ（第２の嵌合部５３の高さを含む）は、ソケット部３０の高さと同程度か、ソケット部３０よりも若干大きい程度とされる。また、筐体５１の小径部５１ａの直径は、ソケット部３０の内径よりも少し小さい程度とされる。
【００６３】
一方、筐体５１の大径部５１ｂの直径は、外郭部２１における筒部２１ａの内径よりも少し小さい程度とされる。また、筐体５１全体の高さ（光源ユニット５０全体の高さ）は、外郭部２１の内部の空間の高さと同程度か、この空間の高さより少し小さい程度とされる。
【００６４】
本実施形態では、光源ユニット５０が灯具ユニット２０に装着されたとき、光源ユニット５０の下面（透明カバー部材５２）の位置が、外郭部２１におけるフランジ部２１ｃの下面の位置と略一致する高さとされている。なお、筐体５１の大きさについては、外郭部２１の内部に収納可能な大きさであれば、どのような大きさであってもよい。
【００６５】
筐体５１に用いられる材料としては、典型的には、灯具ユニット２０におけるソケット部本体３１に用いられる材料と同じ材料（例えば、ＡＢＳ、ＰＢＴ、ＰＣ等の樹脂）が用いられる（特に、ソケット部３０に入り込む部分：筐体５１の小径部５１ａ）。なお、筐体５１の材料としてソケット部本体３１と異なる材料が用いられた場合、線膨張係数差による伸縮及び膨張のずれにより、ソケット部３０と、光源ユニット５０との嵌合性が悪化してしまう虞がある。
【００６６】
筐体５１の大径部５１ｂにおける上下方向の中央近傍の位置には、光源部５６による熱を外部に放出する、金属材料によって構成されたヒートシンク５７が露出して配置されている。このヒートシンク５７の一部は、筐体５１の一部を構成している。つまり、筐体５１は部分的に金属によって構成されている。ヒートシンク５７は、光源部５６を保持する光源保持部５７ａと、筐体５１の一部を構成する壁部５７ｂとを有している。
【００６７】
光源保持部５７ａは、厚さ方向（Ｚ軸方向）に薄い板状の部材が環状に形成されて構成されており、その下側に光源部５６が取り付けられる。壁部５７ｂは、筒状の部材であり、光源保持部５７ａの外周側において、上側に向けて立設するように光源保持部５７ａに設けられている。
【００６８】
第２の嵌合部５３は、金属材料からなる板状の部材により構成されている。なお、一定以上の強度を確保することができるのであれば、第２の嵌合部５３は、樹脂材料により構成されていてもよい。また、第２の嵌合部５３は、筐体５１と同じ材料によって構成されていてもよく、この場合、第２の嵌合部５３は、筐体５１と一体的に構成されていてもよい。
【００６９】
第２の嵌合部５３は、円盤状に構成された嵌合部本体５３ａと、嵌合部本体５３ａの側周面から径方向の外方に向けて突出するように形成された３つの羽根部５３ｂとを有する。羽根部５３ｂは、周方向において等間隔（１２０°）で３つ配置されている。なお、羽根部５３ｂの数については、少なくとも２つであればよく、羽根部５３ｂの数については特に限定されない（なお、羽根部５３ｂの数が変わると、第１の嵌合部３２及びガイド３３の数も変わる）。
【００７０】
羽根部５３ｂは、ソケット部３０の第１のガイド３４、第２のガイド３５に沿って案内可能に構成されており、また、羽根部５３ｂは、第１の嵌合部３２に嵌合可能に構成されている。羽根部５３ｂは、上面は平面とされているが、下面５３ｃ（対向面：第１の嵌合部３２との嵌合時に底部３２ａに対向する面）は、時計回りの方向（第２の回転方向）で上側（挿入方向）に向けて傾斜するように形成されている。すなわち、羽根部５３ｂの下面５３ｃは、第１の嵌合部３２に適切に嵌合可能なように、第１の嵌合部３２の底部３２ａと同様に、周方向に時計回りの方向で上側に向けて傾斜するように形成されている。
【００７１】
本実施形態では、灯具ユニット２０側の第１の嵌合部３２及びガイド３３、並びに、光源ユニット５０側の第２の嵌合部５３によって、光源ユニット５０が灯具ユニット２０に対して、（ドライバ等の工具を必要とすることなしに）機械的に着脱自在に構成されている。具体的には、本実施形態では、光源ユニット５０による上下方向の移動と、Ｚ軸回りの回転により、光源ユニット５０が灯具ユニット２０に対して着脱自在とされている。
【００７２】
第２の端子５４は、第１の嵌合部３２の第２の嵌合部５３への機械的な接続（嵌合）に応じて、第１の端子３６に対して電気的に接続可能とされる。
【００７３】
第２の端子５４は、筐体５１における小径部５１ａの側周面において、この側周面から径方向の外側に突出するように設けられている。第２の端子５４は、上側から見て、Ｖ字状に形成されている。第２の端子５４は、板バネ状に構成された第１の端子３６とは異なり、外力が加えられても不動なように筐体５１に固定されている。
【００７４】
なお、第１の端子３６と第２の端子５４の両方が板バネ状に構成されていてもよいし、第２の端子５４のみを板バネ状に構成してもよい。典型的には、第１の端子３６及び第２の端子５４のうち少なくとも一方が板バネにより構成されていればよい。第２の端子５４に用いられる材料としては、第１の端子３６と同様に、例えば、表面にニッケルメッキが施された真鍮、表面に金メッキが施された銅などが挙げられる。なお、第１の端子３６、第２の端子５４にメッキ処理が施されることによって、経年使用によって生じる錆、酸化被膜による接触性の悪化を低減することができる。
【００７５】
第２の端子５４は、本実施形態では、第１の端子３６の数と同様に、その数が５つとされている。この５つの第２の端子５４は、筐体５１の小径部５１ａにおける側周面において、周方向で等間隔（７２°）に配置されている。
【００７６】
５つの第２の端子５４のうち１つの第２の端子５４は、第１の端子３６におけるプラス端子と電気的に接続される端子であり、他の１つの第２の端子５４は、第１の端子３６におけるグランド端子と電気的に接続される端子である。５つの第２の端子５４のうち、他の３つの端子は、上述の第１の端子３６と同様に、各種の用途に用いることができる。なお、第２の端子５４は、少なくとも２つ設けられていればよく、他の３つの第２の端子５４は省略することも可能である。
【００７７】
光源ユニット５０の中心から第２の端子５４の先端部（径方向の外側）のまでの距離は、ソケット部本体３１の中心からソケット部本体３１の内周面までの距離よりも小さい程度の距離とされる。
【００７８】
当接部５５は、光源ユニット５０における第２の嵌合部５３が灯具ユニット２０における第１の嵌合部３２に対して着脱（上下、回転）されるときに、第２の嵌合部５３が第１の嵌合部３２に対して安定して着脱（上下、回転）することができるように、ソケット部本体３１の内周面に当接する。
【００７９】
当接部５５は、上下方向に長い柱状の部材であり、筐体５１の小径部５１ａにおける外周面から径方向の外側に向けて突出するように筐体５１に設けられている。当接部５５は、その先端部（径方向の外側）に、ソケット部本体３１の内周面に当接する当接面５５ａを有している。当接部５５における当接面５５ａの位置は、第２の端子５４の先端部よりも径方向の外側に位置するように、その位置が設定されている。
【００８０】
なお、光源ユニット５０の中心から当接部５５における当接面５５ａまでの距離は、ソケット部本体３１の中心からソケット部本体３１の内周面までの距離よりも少しだけ小さい距離とされる。
【００８１】
当接部５５の数は、本実施形態では、第２の端子５４の数と同様に、その数が５つとされている。この５つの当接部５５は、筐体５１の小径部５１ａにおける側周面において、周方向で等間隔（７２°）に配置されている。なお、当接部５５の数は、典型的には、２以上であれば特に限定されない。また、当接部５５の数は、第２の端子５４の数と異なっていてもよい。
【００８２】
当接部５５の位置は、第１の端子３６及び第２の端子５４が電気的に接続されるときにこの接続の邪魔にならない位置であるという条件と、光源ユニット５０が回転されるときに、当接部５５が第１の端子３６に接触しないという条件とが満たされるように、その位置が設定されている。なお、本実施形態では、当接部５５は、第２の端子５４に対して周方向で時計回りに約１５°の位置に配置されている。一方、この当接部５５の位置は、上記条件が満たされる位置であればどのような位置に配置されていてもよい。
【００８３】
光源部５６は、筐体５１の内部において、下側の位置に配置されており、下側に向けて光を照射する。光源部５６は、ＬＥＤ基板５６ａと、ＬＥＤ基板５６ａ上に設けられた複数のＬＥＤ素子５６ｂとを有する。ＬＥＤ基板５６ａは、上述のヒートシンク５７における光源保持部５７ａの下面に固定される。ＬＥＤ基板５６ａは、円環状に形成されており、複数のＬＥＤ素子５６ｂも環状に配置されている。なお、本実施形態では、光源としてＬＥＤが用いられているが、光源として有機ＥＬ（ＥＬ：Electro Luminescence）、蛍光ランプ等が用いられてもよい。
【００８４】
付加機能部５８は、筐体５１内部において、環状の光源部５６の中心位置（ＸＹ方向）に配置される。付加機能部５８は、例えば、円柱状に構成され、その下面が透明カバー部材５２の中心から露出するように配置される。
【００８５】
付加機能部５８は、照明以外の機能である付加機能を有している。この付加機能を有する付加機能部５８としては、例えば、音出力機能を有するスピーカ、投影機能を有するプロジェクタ、撮像機能を有するカメラ、集音機能を有するマイク等が挙げられる。また、付加機能を有する付加機能部５８としては、温度検出機能を有する温度センサ、湿度検出機能を有する湿度センサ、振動検出機能を有する振動センサ、光検出機能を有する光センサ（例えば、赤外線センサ）等の各種のセンサが挙げられる。
【００８６】
典型的には、以上で挙げたスピーカ、プロジェクタ、カメラ、マイク、各種のセンサ等の装置のうち、１つの装置が付加機能部５８として筐体５１内部に配置されるが、２以上の装置が筐体５１内部に配置されてもよい。
【００８７】
本実施形態においては、例えば、スピーカが搭載された光源ユニット５０、プロジェクタが搭載された光源ユニット５０、カメラが搭載された光源ユニット５０等の各種のタイプの光源ユニット５０が用意される場合が想定されている。
【００８８】
そして、ユーザは、光源ユニット５０を装着する場合、これらの各種の光源ユニット５０のうち、所望の付加機能部５８を有する光源ユニット５０を選択し、灯具ユニット２０に対して装着する。また、ユーザは、既に装着した光源ユニット５０を他の付加機能部５８を有する他の光源ユニット５０に交換したい場合、光源ユニット５０を灯具ユニット２０から取り外した後、他の光源ユニット５０を灯具ユニット２０に装着する。
【００８９】
なお、付加機能部５８が異なるだけでなく、光源部５６における色、明るさ、配光角等が異なる各種のタイプの光源ユニット５０が用意されてもよい。この場合、ユーザは、付加機能部５８を選択するだけでなく、光源部５６による色、明るさ、配光角等も選択することができる。
【００９０】
筐体５１の内部には、上から順番に、光源制御基板５９、機能部制御基板６０、無線通信基板６１が配置される。これらの基板は、図示しない支持部材によって筐体５１の内部に固定される。なお、光源制御基板５９、機能部制御基板６０、無線通信基板６１における筐体５１内部での位置については、適宜変更可能である。
【００９１】
［ダウンライト１００の電気的構成］
次に、ダウンライト１００の電気的な構成について説明する。図８は、ダウンライト１００の電気的な構成を示すブロック図である。図８では、各部における信号の送受信が実線で表されており、電力供給が破線で表されている。
【００９２】
光源ユニット５０は、上述の光源部５６、付加機能部５８の他に、ＤＣ／ＤＣコンバータ６２、駆動回路６３、制御回路６４、無線通信部６５を有している。駆動回路６３は、光源制御基板５９に搭載され、制御回路６４は、機能部制御基板６０に搭載される。また、無線通信部６５は、無線通信基板６１に搭載される。
【００９３】
無線通信部６５は、無線機器３との間で無線により相互に通信可能に構成されている。ダウンライト１００（光源ユニット５０）との間で無線通信を行う無線機器３は、例えば、スマートフォンや、タブレットＰＣ（Personal Computer）等の汎用の機器であってもよいし、リモートコントローラ等の専用の機器であってもよい。典型的には、無線機器３は、ダウンライト１００との間で無線通信可能な機器であればどのような機器であってもよい。
【００９４】
無線通信部６５は、付加機能部５８から出力させるための音や画像（動画、静止画）の情報を無線機器３から受信し、受信した情報を制御回路６４へ出力する。また、無線通信部６５は、付加機能部５８によって取得された情報を、制御回路６４からの指示に応じて無線機器３に送信する。
【００９５】
例えば、付加機能部５８がスピーカや、プロジェクタである場合、無線通信部６５は、音の情報や、画像（動画、静止画）の情報を無線機器３から受信し、受信した情報を制御回路６４へ出力する。また、例えば、付加機能部５８が、温度センサ、湿度センサ等の各種のセンサや、カメラ、マイクなどである場合、無線通信部６５は、各種のセンサによって取得されたセンシング情報や、カメラによって取得された画像（動画、静止画）の情報、マイクによって取得された音の情報を、制御回路６４からの指示に応じて無線機器３に送信する。
【００９６】
また、無線通信部６５は、光源部５６を制御するための情報（例えば、光源部５６のＯＮ／ＯＦＦ、調光用、調色用の情報）を無線機器３から受信し、受信した情報を制御回路６４へ出力する。
【００９７】
無線通信部６５と、無線機器３との間の無線通信方式としては、Ｗｉ−Ｆｉ（Wireless Fidelity）、Ｂｌｕｅｔｏｏｔｈ（登録商標）、Ｚｉｇｂｅｅ、９２０ＭＨｚ帯無線通信方式などの各種の無線通信方式が用いられる。
【００９８】
ここで、本実施形態では、付加機能部５８における付加機能に関連する情報（音の情報や、画像の情報、センシング情報等）を無線通信おいて搬送する必要がある。一方、Ｚｉｇｂｅｅ、９２０ＭＨｚ帯無線通信方式は、通信距離や安定性は高いものの、搬送することができる情報量が少ない。このため、Ｚｉｇｂｅｅ、９２０ＭＨｚ帯無線通信方式は、情報量が少ない、光源部５６を制御するための情報を搬送することができるが、一方で、情報量が多い、付加機能に関連する情報を適切に搬送することができない可能性がある。このため、典型的には、無線通信部６５と、無線機器３との間の無線通信方式としては、搬送することができる情報量が多いＷｉ−Ｆｉ（Wireless Fidelity）、Ｂｌｕｅｔｏｏｔｈが用いられる。
【００９９】
駆動回路６３は、制御回路６４の指示に応じて、光源部５６の駆動を制御する。例えば、駆動回路６３は、制御回路６４からの光源部５６のＯＮ／ＯＦＦの指令に応じて、光源部５６をＯＮ／ＯＦＦする処理と、制御回路６４からの調光、調色の指令に応じて、光源部５６の明るさ、色を調整する処理とを実行する。
【０１００】
制御回路６４は、付加機能部５８を制御する処理と、駆動回路６３を介して光源部５６を制御する処理とを実行する。例えば、付加機能部５８がスピーカや、プロジェクタである場合、制御回路６４は、無線通信部６５を介して受信された音の情報に基づいて、スピーカから音を出力させたり、無線通信部６５を介して受信された画像（動画、静止画）の情報に基づいて、プロジェクタから画像を出力させたりする。また、例えば、付加機能部５８が、温度センサ、湿度センサ等の各種のセンサや、カメラ、マイクなどである場合、制御回路６４は、各種のセンサによって取得されたセンシング情報や、カメラによって取得された画像（動画、静止画）の情報、マイクによって取得された音の情報を、無線通信部６５を介して無線機器３に送信する。
【０１０１】
また、制御回路６４は、無線通信部６５を介して受信された光源部５６のＯＮ／ＯＦＦの情報に応じて、駆動回路６３に対して光源部５６のＯＮ／ＯＦＦの指令信号を出力する。また、例えば、制御回路６４は、無線通信部６５を介して受信された調光、調色の情報に応じて、駆動回路６３に対して調光、調色の指令信号を出力する。
【０１０２】
電源ユニット１０は、内部に電源回路１１を有している。この電源回路１１は、商用電源による交流電圧（例えば、ＡＣ１００〜１２０Ｖ、ＡＣ２００〜２４０Ｖ等）を直流電圧（定電圧：例えば１２Ｖ）に変換（絶縁処理）し、この直流電圧を灯具ユニット２０の第１の端子３６（プラス端子）へと供給する。第１の端子３６（プラス端子）に供給された直流電圧は、第１の端子３６（プラス端子）及び第２の端子５４（プラス端子）の接続を介して、光源ユニット５０内に供給される。
【０１０３】
なお、直流電圧のグランド側は、灯具ユニット２０の外郭部２１と電気的に接続されており、灯具ユニット２０の外郭部２１は、グランド電位と等電位とされている。
【０１０４】
ＤＣ／ＤＣコンバータ６２は、電源回路１１から供給された直流電圧における電位（例えば、１２Ｖ等）を、制御回路６４、無線通信部６５を駆動するのに適した電位へと変換（例えば、５Ｖ等）して、制御回路６４、無線通信部６５へと供給する。なお、駆動回路６３へ供給される直流電圧は、ＤＣ／ＤＣコンバータ６２によって電位は変換されず、従って、駆動回路６３は、電源回路１１から供給された直流電圧（例えば、１２Ｖ）によって駆動される。駆動回路６３は、定電流における直流電圧によって、光源部５６の駆動を制御する。
【０１０５】
＜光源ユニット５０の着脱時の動作＞
次に、光源ユニット５０が灯具ユニット２０に対して着脱されるときの動作について説明する。
【０１０６】
図９及び図１０は、光源ユニット５０が灯具ユニット２０に対して着脱されるときの動作を説明するための図であり、光源ユニット５０及びソケット部３０を上方から見た図である。なお、図９は、光源ユニット５０の第２の嵌合部５３が、灯具ユニット２０のソケット部３０の上側まで移動されたときの様子が示されている。また、図１０は、光源ユニット５０の第２の嵌合部５３における羽根部５３ｂが、灯具ユニット２０における第１の嵌合部３２に嵌合されているときの様子を示している。
【０１０７】
［光源ユニット５０を装着するときの動作］
まず、光源ユニット５０を灯具ユニット２０に対して装着するときの動作について説明する。この場合、まず、種類の異なる付加機能部５８を有する各種のタイプの光源ユニット５０から、任意の付加機能部５８を有する光源ユニット５０がユーザにより選択される。そして、その光源ユニット５０の下側がユーザにより把持され、把持された光源ユニット５０が持ち上げられて、光源ユニット５０が外郭部２１の下側から外郭部２１内へと挿入される。
【０１０８】
図１１は、光源ユニット５０の第２の嵌合部５３における羽根部５３ｂが、灯具ユニット２０の第１の嵌合部３２と嵌合されるときの様子を示す図である。
【０１０９】
光源ユニット５０の羽根部５３ｂの位置が、灯具ユニット２０の第１のガイド３４の位置とあっていない場合、羽根部５３ｂがソケット部本体３１の下面に引っかかるので、光源ユニット５０がそれ以上上側に上がらない（図１１の一番上を参照）。この場合、ユーザは、光源ユニット５０をＺ軸回りに回転させて、羽根部５３ｂの位置と、第１のガイド３４の位置とを合わせる（図９、図１１の一番上を参照）。
【０１１０】
羽根部５３ｂの位置と、第１のガイド３４の位置が一致している状態で光源ユニット５０がさらに上に持ち上げられると、羽根部５３ｂが、第１のガイド３４によりＺ軸方向にガイドされ、光源ユニット５０が上方へ移動される（図９、図１１の上から２番目参照）。
【０１１１】
羽根部５３ｂが、第１のガイド３４によりＺ軸方向にガイドされているとき、羽根部５３ｂと第１のガイド３４との間で水平方向においてずれが生じると、光源ユニット５０に設けられた当接部５５における当接面５５ａが、ソケット部本体３１の内周面に当接する。これにより、羽根部５３ｂが、第１のガイド３４に対して安定してガイドされる（光源ユニット５０が灯具ユニット２０に対して安定して上方へ移動される）。
【０１１２】
羽根部５３ｂがソケット部３０の最も上側の位置（光源ユニット５０が外郭部２１における蓋部２１ｂの下面に当接する位置）まで移動された後、ユーザにより光源ユニット５０が反時計回り（ユーザ側（下側）から見て時計回り）に回転される（図１１の一番下側参照）。このとき、羽根部５３ｂは、ソケット部３０における第２のガイド３５にガイドされ、ソケット部３０に対して回転する。
【０１１３】
第２のガイド３５により羽根部５３ｂがガイドされているとき、羽根部５３ｂと第２のガイド３５との間で水平方向でのずれが生じると、光源ユニット５０に設けられた当接部５５における当接面５５ａが、ソケット部本体３１の内周面に当接する。これにより、羽根部５３ｂが、第２のガイド３５に対して安定してガイドされる（光源ユニット５０が灯具ユニット２０対して安定して回転される）。
【０１１４】
ここで、典型的には、羽根部５３ｂがソケット部３０の最も上側の位置（以下、最上位位置：光源ユニット５０が上側にそれ以上移動することができない位置）まで移動された状態で、光源ユニット５０がユーザにより反時計回りに回転される。一方、灯具ユニット２０は基本的に高い位置に設置されるので、ユーザが正確に光源ユニット５０を最上位位置まで移動させることが困難な場合がある。この場合、羽根部５３ｂが、最上位位置付近であるが、最上位位置には正確に到達していない状態で、光源ユニット５０がユーザにより回転されてしまう場合がある。この場合、何ら対策を講じないと、羽根部５３ｂがなかなか第２のガイド３５にガイドされず、光源ユニット５０がなかなか回転しない場合が想定される。
【０１１５】
このため、本実施形態では、第２のガイド３５において、下側かつ第１のガイド３４寄りの位置に、周方向に反時計回りの方向で上側に向けて傾斜する傾斜部３５ａを設けることとしている。羽根部５３ｂが、最上位位置付近であるが、最上位位置には正確に到達していない状態で、光源ユニット５０の回転が開始された場合、まず、羽根部５３ｂの下側の角部（図１１において左側）が、第２のガイド３５における傾斜部３５ａに対して接触する。そして、この状態からさらに光源ユニット５０が回転されると、羽根部５３ｂの下側の角部が傾斜部３５ａに対して接触しながら羽根部５３ｂが回転し、回転する羽根部５３ｂが上側に移動されながら第２のガイド３５内へとスムーズに導かれる。
【０１１６】
つまり、第２のガイド３５における傾斜部３５ａが、反時計回りの方向で上側に向けて傾斜しているので、第１のガイド３４から第２のガイド３５への入り口を広くすることができ、また、回転される羽根部５３ｂを上側に移動させながら第２のガイド３５内へとスムーズに導くことができる。このように、本実形態では、羽根部５３ｂが最上位位置には正確に到達していない状態で、光源ユニット５０が回転されときに、羽根部５３ｂがなかなか第２のガイド３５にガイドされず、光源ユニット５０がなかなか回転しないことを防止することができる。
【０１１７】
光源ユニット５０の回転により羽根部５３ｂが所定の角度（例えば、１５°）回転されると、羽根部５３ｂが第１の嵌合部３２に嵌合する（図１０、図１１の一番下参照）。
【０１１８】
光源ユニット５０が回転されているとき、第２の端子５４の先端（径方向外側）が、第１の端子３６における自由端側の傾斜部３６ａに当接しながら回転する。第１の端子３６における自由端側は、回転する第２の端子５４の先端に対して傾斜部３６ａにおいて接触点を変えながら接触し、回転する第２の端子５４により径方向の外側に向けて徐々に移動される。
【０１１９】
羽根部５３ｂが第１の嵌合部３２に嵌合して光源ユニット５０の回転が停止されると、第１の端子３６の自由端における径方向外側への移動が停止される。このとき、第１の端子３６の自由端が、第２の端子５４を径方向内側へ付勢する付勢力が発生し、この付勢力によって、第１の端子３６と第２の端子５４との間の接触が保たれる（図１０参照）。これにより、第１の端子３６及び第２の端子５４の電気的な接続が確保される。
【０１２０】
［光源ユニット５０を取り外すときの動作］
次に、光源ユニット５０を灯具ユニット２０から取り外すときの動作について説明する。なお、例えば、以下のような場合に、光源ユニット５０が取り外される。（１）ユーザが、既に装着されている光源ユニット５０を、その光源ユニット５０とは異なる付加機能部５８を有する他の光源ユニット５０に取り換えたい場合。（２）ユーザが、既に装着されている光源ユニット５０を、その光源ユニット５０とは異なる光源部５６（明るさ、色、配光角等）を有する他の光源ユニット５０に取り換えたい場合。（３）既に装着されている光源ユニット５０の一部が故障してしまい、新しい光源ユニット５０と交換したい場合。
【０１２１】
図１２は、光源ユニット５０の第２の嵌合部５３における羽根部５３ｂが、灯具ユニット２０の第１の嵌合部３２から取り外されるときの様子を示す図である。
【０１２２】
光源ユニット５０が灯具ユニット２０から取り外される場合、光源ユニット５０の下側がユーザにより把持されて、把持された光源ユニット５０が時計回り（ユーザ側（下側）から見て反時計回り）に回転される。光源ユニット５０が回転されると、これに応じて光源ユニット５０の羽根部５３ｂが回転され、羽根部５３ｂが第１の嵌合部３２から外れて、羽根部５３ｂが第２のガイド３５を介して第１のガイド３４内に導かれる（図９、図１２の上側参照）。
【０１２３】
羽根部５３ｂが回転しているとき、羽根部５３ｂと第２のガイド３５との間で水平方向でのずれが生じると、光源ユニット５０に設けられた当接部５５における当接面５５ａが、ソケット部本体３１の内周面に当接する。これにより、羽根部５３ｂが、第２のガイド３５に対して安定してガイドされる（光源ユニット５０が灯具ユニット２０対して安定して回転される）。
【０１２４】
ここで、第１の嵌合部３２の底部３２ａは、周方向に時計回りの方向で上側に向けて傾斜するように形成されている。同様に、羽根部５３ｂの下面５３ｃは、周方向に時計回りの方向で上側に向けて傾斜するように形成されている。羽根部５３ｂの下面５３ｃ及び第１の嵌合部３２の底部３２ａは、同様の形状を有しているため、羽根部５３ｂが第１の嵌合部３２に嵌合されている場合には、羽根部５３ｂを第１の嵌合部３２に適切に嵌合させることができる。
【０１２５】
一方、羽根部５３ｂが第１の嵌合部３２から外されるとき、時計回りに上側に向けて傾斜する羽根部５３ｂの下面５３ｃが、時計回りに上側に向けて傾斜する底部３２ａに接触しつつ、羽根部５３ｂが回転する。このとき、羽根部５３ｂを第１の嵌合部３２から簡単に外すことができ、回転する羽根部５３ｂをスムーズに第２のガイド３５内に導くことができる。
【０１２６】
つまり、実施形態では、羽根部５３ｂ及び第１の嵌合部３２の形状により、羽根部５３ｂが第１の嵌合部３２に嵌合している場合には、羽根部５３ｂを第１の嵌合部３２に適切に嵌合させつつ、羽根部５３ｂが第１の嵌合部３２から外される場合には簡単に羽根部５３ｂを第１の嵌合部３２から外すことができる。
【０１２７】
光源ユニット５０が時計回りに回転されているとき、第１の端子３６における自由端側は、回転する第２の端子５４の先端に対して傾斜部３６ａにおいて接触点を変えながら接触し、自身の付勢力によって径方向の内側に向けて徐々に移動する。
【０１２８】
光源ユニット５０が所定の角度回転されると、第２の端子５４の先端が第１の端子３６から離れ、第１の端子３６の鉤爪部３６ｂがソケット部本体３１に掛けられる。これにより、第１の端子３６及び第２の端子５４の接触が解除され、第１の端子３６及び第２の端子５４の電気的な接続が解除される。
【０１２９】
羽根部５３ｂが第２のガイド３５を介して第１のガイド３４の上部に導かれた後、光源ユニット５０が下側に移動されると、羽根部５３ｂが第１のガイド３４によりＺ軸方向にガイドされながら下方へ移動し、羽根部５３ｂが第１のガイド３４から外れる。
【０１３０】
羽根部５３ｂが、第１のガイド３４によりＺ軸方向にガイドされているとき、羽根部５３ｂと第１のガイド３４との間で水平方向においてずれが生じると、光源ユニット５０に設けられた当接部５５における当接面５５ａが、ソケット部本体３１の内周面に当接する。これにより、羽根部５３ｂが、第１のガイド３４に対して安定してガイドされる（光源ユニット５０が灯具ユニット２０に対して安定して下方へ移動される）。
【０１３１】
羽根部５３ｂが第１のガイド３４から外れることによって、光源ユニット５０が灯具ユニット２０から取り外される。
【０１３２】
＜作用等＞
［付加機能部５８］
以上説明したように、本実施形態に係るダウンライト１００は、光源ユニット５０が、照明として光を発する光源部５６と、照明以外の付加機能を有する付加機能部５８とを有しており、この光源ユニット５０が灯具ユニット２０に対して着脱自在に構成されている。本実施形態では、光源ユニット５０が灯具ユニット２０に着脱自在に構成されているので、ユーザは、付加機能部５８を有する光源ユニット５０を灯具ユニット２０に対して簡単に装着することができ、また、付加機能部５８を有する光源ユニット５０を灯具ユニット２０から簡単に取り外すことができる。
【０１３３】
さらに、本実施形態では、例えば、スピーカが搭載された光源ユニット５０、プロジェクタが搭載された光源ユニット５０、カメラが搭載された光源ユニット５０等の各種のタイプの光源ユニット５０（第１の光源ユニット５０、第２の光源ユニット５０）が用意される。これにより、ユーザは、各種のタイプの光源ユニット５０から、任意の付加機能部５８を有する光源ユニット５０を選択して、選択した光源ユニット５０を灯具ユニット２０に装着することができる。
【０１３４】
さらに、ユーザは、既に装着されている光源ユニット５０を他の付加機能部５８を有する他の光源ユニット５０に交換したい場合、光源ユニット５０を灯具ユニット２０から取り外した後、灯具ユニット２０に対して、他の付加機能部５８を有する他の光源ユニット５０を装着することができる。つまり、本実施形態では、ユーザは、既に装着されている光源ユニット５０を、所望の付加機能部５８を有する光源ユニット５０へといつでも簡単に交換することができる。
【０１３５】
また、本実施形態では、付加機能部５８が、環状の光源部５６の中心位置に配置される。これにより、光源部５６において、付加機能部５８を有しない通常のダウンライトにおける光源部と同様の配光特性を得ることができ、また、ダウンライト１００におけるデザイン性も向上させることができる。また、例えば、スピーカが付加機能部５８として環状の光源部５６に中心位置に配置される場合、スピーカから出力される音の広がりを、ダウンライト１００の真下に対して対象にすることもできる。
【０１３６】
なお、光源部５６が良好な配光特性を得られるのであれば、付加機能部５８の位置は、正確に中心位置でなくともよく、環状の光源部５６の中心位置から多少ずれていてもよい（この場合も、光源部５６の中心位置に含まれる）。
【０１３７】
［無線通信部６５］
さらに、本実施形態では、無線機器３（他の機器）との間で無線により通信を行う無線通信部６５が光源ユニット５０に設けられている。そして、制御回路６４が、無線機器３から送信されて無線通信部６５により受信された情報に基づいて、付加機能部５８を制御する。
【０１３８】
これにより、例えば、付加機能部５８がスピーカやプロジェクタである場合、ユーザは、音の情報や画像の情報を無線機器３からダウンライト１００に向けて送信することで、所望の音や画像を付加機能部５８から出力させることができる。また、付加機能部５８が温度センサ、湿度センサ等の各種のセンサや、カメラ、マイクなどである場合、ユーザは、各種のセンサ、カメラ、マイク等の付加機能部５８で取得された情報を、ダウンライト１００から無線機器３に対して送信させることができる。これにより、ユーザは、各種のセンサや、カメラ、マイク等の付加機能部５８で取得された情報を無線機器３において確認することができる。
【０１３９】
さらに、本実施形態では、制御回路６４は、無線機器３から送信されて無線通信部６５により受信された情報に基づいて駆動回路６３を制御することによって光源部５６を制御している。これにより、ユーザは、光源部５６を制御するための情報（例えば、光源部５６のＯＮ／ＯＦＦ、調光用、調色用の情報）を無線機器３から送信することで、光源部５６のＯＮ／ＯＦＦ、光源部５６の明るさ、光源部５６の色などを任意に選択することができる。
【０１４０】
［比較例との比較及び電力供給等］
次に、本実施形態における作用等を、比較例を参照しつつ説明する。
【０１４１】
図１３は、第１の比較例に係るダウンライト２００を示す模式図である。図１３に示すように、第１の比較例に係るダウンライト２００は、灯具ユニット１２０と、光源ユニット１５０とを備えている。なお、第１の比較例に係るダウンライト１００は、本実施形態とは異なり、電源ユニット１０は備えておらず、電源回路１１１は、光源ユニット１５０の内部に備えられている。
【０１４２】
灯具ユニット１２０は、外郭部１２１と、外郭部１２１に設けられたソケット部１３０とを有する。ソケット部１３０は、嵌合部１３２と、第１の端子１３６とを有している。
【０１４３】
光源ユニット１５０は、筐体１５１、第２の端子１５４、電源回路１１１及び光源部１５６を有している。なお、光源ユニット１５０は、本実施形態とは異なり、付加機能部５８、制御回路６４、無線通信部６５等を有していない。筐体１５１は、上側に小径部１５１ａを有しており、下側に大径部１５１ｂを有している。第２の端子１５４は、筐体１５１の大径部５１ｂの上面から上方に突出するように設けられている。第２の端子１５４のうち、一方の第２の端子１５４は、プラス端子であり、他方の第２の端子１５４は、グランド端子である。また、第２の端子１５４は、電気的な接続のための端子としての機能と、機械的な接続のための嵌合部としての機能との２つの機能を持つ。
【０１４４】
電源回路１１１は、駆動回路１６３と一体的に構成されている。電源回路１１１は、商用電源による交流電圧を直流電圧に変換して駆動回路１６３へ供給する。駆動回路１６３は、定電流による直流電圧により、光源部１５６（ＬＥＤ）を駆動する。
【０１４５】
第１の比較例では、光源ユニット１５０が灯具ユニット１２０に対して装着されるとき、光源ユニット１５０が灯具ユニット１２０の下側から挿入され、光源ユニット１５０が回転される。光源ユニット１５０が回転されると、第２の端子１５４が嵌合部１３２と嵌合し、かつ、第２の端子１５４が第１の端子１３６と電気的に接続される。
【０１４６】
一方、光源ユニット１５０が灯具ユニット１２０から取り外されるとき、光源ユニット１５０が灯具ユニット１２０に対して、先ほどとは逆向きに回転される。光源ユニット１５０が回転されると、第２の端子１５４と嵌合部１３２との嵌合が解除され、かつ、第１の端子１３６及び第２の端子１５４の電気的な接続が解除される。その後、光源ユニット１５０が下側に向けて移動されると、光源ユニット１５０が灯具ユニット１２０から取り外される。
【０１４７】
図１４は、第２の比較例に係るダウンライト３００を示す模式図である。図１４に示すように、第２の比較例に係るダウンライト３００は、電源ユニット２１０と、灯具ユニット２２０と、光源ユニット２５０とを備えている。
【０１４８】
電源ユニット２１０は、電源回路２１１を有している。電源回路２１１は、駆動回路２６３と一体的に構成されている。電源回路２１１は、商用電源による交流電圧を直流電圧に変換して駆動回路２６３へ供給する。駆動回路２６３は、定電流による直流電圧により、光源ユニット２５０内の光源部２５６（ＬＥＤ）を駆動する。電源ユニット２１０には、先端部に第１のコネクタ２３６を有する配線２０１が取り付けられている。
【０１４９】
灯具ユニット２２０は、外郭部２２１と、外郭部２２１に設けられた第１の嵌合体２３２を有している。外郭部２２１における上部の中央付近には、配線２０１、２０２を通すための開口２０３が設けられている。
【０１５０】
光源ユニット２５０は、筐体２５１と、筐体２５１に取り付けられた第２の嵌合体２５３と、筐体２５１内部に設けられた光源部２５６（ＬＥＤ）とを有する。また、光源ユニット２５０には、先端部に第２のコネクタ２５４を有する配線２０２が取り付けられている。なお、光源ユニット２５０は、本実施形態とは異なり、付加機能部５８、制御回路６４、無線通信部６５等を有していない。
【０１５１】
第２の嵌合体２５３は、第１の嵌合体２３２に対して着脱自在に構成されている。また、第２のコネクタ２５４は、第１のコネクタ２３６に対して着脱自在に構成されている。
【０１５２】
第２の比較例では、光源ユニット２５０が灯具ユニット２２０に対して装着されるとき、まず、電源ユニット２１０に設けられた配線２０１及び第１のコネクタ２３６が下側に向けて引っ張られる。これにより、灯具ユニット２２０に設けられた開口２０３から配線２０１及び第１のコネクタ２３６が引き出される。その後、電源ユニット２１０側の第１のコネクタ２３６と光源ユニット２５０側の第２のコネクタ２５４が接続され、電源ユニット２１０に対する光源ユニット２５０の電気的な接続が行われる。そして、光源ユニット２５０が灯具ユニット２２０に対して下側から押しこまれ、第１の嵌合体２３２と第２の嵌合体２５３とが嵌合することで、灯具ユニット２２０に対する光源ユニット２５０の機械的な接続が行われる。
【０１５３】
一方、光源ユニット２５０が灯具ユニット２２０から取り外されるとき、光源ユニット２５０が下側に向けて移動されることで、第１の嵌合体２３２及び第２の嵌合体２５３の機械的な接続が解除される。その後、光源ユニット２５０側の第２のコネクタ２５４が電源ユニット２１０側の第１のコネクタ２３６から取り外されることで電気的な接続が解除される。
【０１５４】
図１３を参照して、第１の比較例では、光源ユニット１５０における上下方向への移動及び回転によって、機械的な接続／解除と、電気的な接続／解除とが同時に行われている。このため、灯具ユニット１２０に対する光源ユニット１５０の着脱が容易である。しかしながら、第１の比較例では、電気的な接続／解除を行うための第２の端子１５４に対して、機械的な接続／解除の機能を負担させている。このため、第２の端子１５４に対して機械的な応力が加わり、従って、電気的な接続の信頼性が低いといった問題がある。
【０１５５】
また、第１の比較例では、光源ユニット１５０に対して、商用電源による交流電圧がそのまま供給される構成とされている。このため、光源ユニット１５０が灯具ユニット１２０に対して着脱されるとき、ユーザが感電しまう危険性があるといった問題がある。また、天井裏において雨漏りが発生したとき、漏電の可能性が高くなるといった問題もある。
【０１５６】
また、第１の比較例では、電源回路１１１が光源ユニット１５０に内蔵されているため、光源ユニット１５０が重くなり、光源ユニット１５０の着脱時にユーザの負担が増えてしまうといった問題もある。
【０１５７】
図１４を参照して、第２の比較例では、第１の比較例とは異なり、商用電源による交流電圧が電源ユニット２１０により直流電圧に変換され、この直流電圧が第１のコネクタ２３６及び第２のコネクタ２５４を介して光源ユニット２５０に供給されている。このため、感電や漏電の危険性は低くなる。
【０１５８】
一方、第２の比較例では、灯具ユニット２２０及び光源ユニット２５０の機械的な接続のための機構（第１の嵌合体２３２材及び第２の嵌合体２５３）と、電気的な接続ための機構（第１のコネクタ２３６及び第２のコネクタ２５４）とが完全に分離して構成されている。このため、ユーザは、光源ユニット２５０を灯具ユニット２２０に対して着脱するとき、第１のコネクタ２３６及び第２のコネクタ２５４の接続／解除と、第１の嵌合体２３２及び第２の嵌合体２５３の接続／解除とを別々に行う必要がある。ユーザは、これらの作業を天井に向かって手を上げた状態で行う必要があり、ユーザに対する負担が大きいといった問題がある。
【０１５９】
また、第１の比較例及び第２の比較例では、両者ともに、付加機能部５８を有しておらず、また、光源ユニット１５０、２５０に対して付加機能部５８を追加することが困難であるといった問題がある。
【０１６０】
第１の比較例では、光源ユニット１５０に電源回路１１１が内蔵されているため、付加機能部５８を追加するためのスペースを確保することが難しい。一方、第２の比較例では、光源ユニット２５０内には電源回路２１１が配置されていないので、付加機能部５８を追加するためのスペースを確保することは可能である。
【０１６１】
しかし、第２の比較例においては、光源部２５６（ＬＥＤ）を駆動するための駆動回路２６３が、電源回路２１１と一体化されて構成されている。ここで、ＬＥＤは、直流電圧を印加することで駆動するが、電圧が一定である定電圧による直流電圧によりＬＥＤを駆動した場合、それぞれのＬＥＤにおいて明るさにばらつきが生じてしまう。このため、通常、第２の比較例のように、ＬＥＤは、電流が一定である定電流による直流電圧により駆動される。
【０１６２】
第２の比較例では、駆動回路２６３から光源ユニット２５０に対して供給される電力は、直流電圧ではあるものの、上記理由から定電流による直流電圧とされている。この定電流による直流電圧では、付加機能部５８、制御回路６４、無線通信部６５を駆動することができないといった問題がある。付加機能部５８、制御回路６４、無線通信部６５は、定電圧による直流電圧によって駆動されるためである。
【０１６３】
一方、本実施形態では、第１の比較例、第２の比較例とは異なり、電源回路１１と、駆動回路６３とが分離されおり、電源回路１１が電源ユニット１０に配置され、駆動回路６３が光源ユニット５０に配置されている（図８参照）。そして、本実施形態では、電源回路１１によって、商用電源による交流電圧が定電圧による直流電圧に変換され、この定電圧による直流電圧が、灯具ユニット２０を介して光源ユニット５０に対して供給される。また、この定電圧による直流電圧が光源ユニット５０内で分岐されて、駆動回路６３、制御回路６４、無線通信部６５等に供給されるように構成されている。
【０１６４】
これにより、本実施形態では、定電圧による直流電圧によって駆動される駆動回路６３、制御回路６４、付加機能部５８、無線通信部６５を適切に駆動させつつ、駆動回路６３による定電流制御により光源部５６を適切に駆動させることができる。
【０１６５】
また、本実施形態では、光源ユニット５０に対して定電圧による直流電圧が供給されるので、光源ユニット５０に対して商用電源による交流電圧が直接的に供給される場合（第１の比較例）に比べて、感電や漏電の危険性を低くすることができる。なお、本実施形態では、光源ユニット５０に対して供給される直流電圧は、感電等を防止する観点から、典型的には、４０Ｖ以下とされる。
【０１６６】
また、本実施形態では、電源回路１１が、光源ユニット５０ではなく電源ユニット１０に内蔵されているため、光源ユニット５０が重くなり、光源ユニット５０の着脱時にユーザの負担が増えてしまうといった問題を解消することができる。
【０１６７】
［外郭部２１の電位］
また、上述のように、本実施形態では、電源ユニット１０から光源ユニット５０へ供給される直流電圧のグランド側が、灯具ユニット２０の外郭部２１と電気的に接続されており、灯具ユニット２０の外郭部２１が、直流電圧のグランド電位と等電位とされている。ここで、例えば、外郭部２１が金属で構成されているような場合、外郭部２１がグランド電位と異なる電位であると、外郭部２１と付加機能部５８等との間で寄生容量が発生し、グラインド電位が不安定となってしまうといった問題がある。
【０１６８】
一方、本実施形態では、外郭部２１がグランド電位と等電位とされているので、グランド電位の安定性を向上させることができる。これにより、付加機能部５８や、制御回路６４、無線通信部６５、駆動回路６３の動作の安定性を向上させることができる。また、外郭部２１がグランド電位と等電位とされることで、良好なＥＭＣ対策（ＥＭＣ：ElectroMagnetic Compatibility）を実現することができる。なお、外郭部２１は、光源部５６及び付加機能部５８等を含む光源ユニット５０を覆っている関係上、外郭部２１がグランド電位とされることで、シールド効果も期待できるので、ＥＭＣ対策にはより効果的である。
【０１６９】
［嵌合構造］
また、本実施形態では、光源ユニット５０を灯具ユニット２０に対して着脱させるための機構として、灯具ユニット２０側に第１の嵌合部３２及びガイド３３が設けられており、光源ユニット５０側に第２の嵌合部５３が設けられている。これにより、ユーザは、光源ユニット５０の上下方向の移動、及びＺ軸回りの回転による簡単な作業により、光源ユニット５０を灯具ユニット２０に対して着脱することができる。
【０１７０】
また、本実施形態では、第２のガイド３５において、下側かつ第１のガイド３４寄りの位置には、周方向に反時計回りの方向で上側に向けて傾斜する傾斜部３５ａが設けられている。これにより、羽根部５３ｂを第１のガイド３４から第２のガイド３５内へとスムーズに導くことができる。従って、羽根部５３ｂが最上位位置には正確に到達していない状態で、光源ユニット５０が回転されときに、羽根部５３ｂがなかなか第２のガイド３５にガイドされず、光源ユニット５０がなかなか回転しないことを防止することができる。
【０１７１】
また、本実施形態では、灯具ユニット２０の第１の嵌合部３２の底部３２ａが、周方向に時計回りの方向で上側に向けて傾斜するように形成されている。同様に、光源ユニット５０の羽根部５３ｂの下面５３ｃが、周方向に時計回りの方向で上側に向けて傾斜するように形成されている。これにより、羽根部５３ｂが第１の嵌合部３２に嵌合している場合には、羽根部５３ｂを第１の嵌合部３２に適切に嵌合させつつ、羽根部５３ｂが第１の嵌合部３２から外される場合には簡単に羽根部５３ｂを第１の嵌合部３２から外すことができる。
【０１７２】
また、本実施形態では、光源ユニット５０の第２の端子５４が、光源ユニット５０（第２の嵌合部５３）の灯具ユニット２０（第１の嵌合部３２）への嵌合に応じて、灯具ユニット２０の第１の端子３６と電気的に接続される。つまり、本実施形態では、灯具ユニット２０及び光源ユニット５０の機械的な接続／解除と、電気的な接続／解除とが連動して行われるので、これらが連動していない場合（第２の比較例：図１４参照）と比べて、ユーザに対する負担を軽減することができる。
【０１７３】
また、本実施形態では、電気的な接続／解除のための機構（第１の端子３６、第２の端子５４）が、機械的な接続／解除のための機構（第１の嵌合部３２、第２の嵌合部５３）とは別体とされている。このため、第１の比較例のように、電気的な接続／解除の機能と、機械的な接続／解除の機能とが一体とされている場合（第２の端子１５４に両方の機能を負担させている場合）に比べて、電気的な接続の確実性を向上させることができる。
【０１７４】
また、本実施形態では、灯具ユニット２０の第１の端子３６が、板バネ状に構成されており、板バネ状の第１の端子３６の変形によって第２の端子５４との間の電気的な接続が行われる。これにより、第１の端子３６及び第２の端子５４の電気的な接続の確実性をさらに向上させることができる。
【０１７５】
また、本実施形態では、光源ユニット５０の第２の端子５４が、筐体５１の側周面に設けられている。これにより、光源ユニット５０の筐体５１内部のスペースを大きくとることができ、筐体５１内部に付加機能部５８等を容易に配置することができる。また、第２の端子５４が、筐体５１の側周面に設けられているため、光源ユニット５０の高さ（Ｚ軸方向）を容易に低くすることができる。なお、第１の比較例のように、第２の端子１５４が筐体１５１の上面（大径部１５１ｂの上面）に設けられている場合、光源ユニット１５０の高さを低くすることが難しいといった問題がある。
【０１７６】
《第２実施形態》
＜ダウンライト４００の全体構成及び各部の構成＞
次に、本技術の第２実施形態に係るダウンライト４００ついて説明する。第２実施形態以降では、上述の第１実施形態と同様の構成及び機能を有する部材については、説明を省略又は簡略化する。
【０１７７】
第２の実施形態では、光源ユニット５０と、灯具ユニット２０とが熱的に接続される点で上述の第１実施形態と異なっている。第２実施形態では、この点を中心に説明する。
【０１７８】
図１５は、第２実施形態に係るダウンライト４００を示す模式的な側方断面図である。図１６は、第２実施形態に係る灯具ユニット２０を示す模式的な側方断面図である。
【０１７９】
これらの図に示すように、灯具ユニット２０の外郭部２１は、蓋部２１ｂの下面において、下側（第１の嵌合部３２側）に向けて突出する突出部２３を有している。この突出部２３は、光源ユニット５０が、灯具ユニット２０に嵌合されたとき、この嵌合に応じて、第２の嵌合部５３（嵌合部本体５３ａ）と熱的に接続される。突出部２３は、例えば、Ｚ軸方向から見て円形状に形成されており、突出部２３の厚さは、例えば、０．０１ｍｍ〜１ｍｍ程度とされる。
【０１８０】
光源ユニット５０における筐体５１の内部には、光源部５６等の各種の発熱源からの熱を第２の嵌合部５３へ伝達する伝熱部７０が設けられている。この伝熱部７０は、光源部５６（第１の発熱源）からの熱を第２の嵌合部５３へ伝達する第１の伝熱部７１と、光源制御基板５９、機能部制御基板６０、無線通信基板６１、及び付加機能部５８（第２の発熱源）からの熱を第２の嵌合部５３へ伝達する第２の伝熱部７２とを含む。
【０１８１】
第１の伝熱部７１は、筐体５１の内周面に沿って設けられている。なお、第１の伝熱部７１は、周方向で全周（３６０°）に亘って設けられているわけではなく、周方向で所定の角度（例えば、１６０°）に亘って設けられている。
【０１８２】
第１の伝熱部７１の上部は、第２の嵌合部５３の下面に対して固定されており、これにより、第１の伝熱部７１は、第２の嵌合部５３に対して熱的に接続されている。第１の伝熱部７１の下部は、ヒートシンク５７の壁部５７ｂにおける内周面に固定されており、これにより、第１の伝熱部７１は、ヒートシンク５７を介して光源部５６と熱的に接続されている。
【０１８３】
第２の伝熱部７２は、筐体５１の内周面に沿って設けられているが、第２の伝熱部７２は、周方向で全周（３６０°）に亘って設けられているわけではなく、周方向で所定の角度（例えば、１６０°）に亘って設けられている。なお、第１の伝熱部７１及び第２の伝熱部７２は、周方向で重ならないように配置される。
【０１８４】
第２の伝熱部７２の上部は、第２の嵌合部５３の下面に対して固定されており、これにより、第２の伝熱部７２は、第２の嵌合部５３に対して熱的に接続されている。一方、第２の伝熱部７２の下部は、第１の伝熱部７１とは異なり、ヒートシンク５７に対して接触しないように配置されており、従って、第２の伝熱部７２は、光源部５６と熱的に接続されていない。代わりに、第２の伝熱部７２には、光源制御基板５９、機能部制御基板６０、無線通信基板６１、付加機能部５８からの熱を第２の伝熱部７２に伝える伝熱板７２ａが取り付けられている。
【０１８５】
光源ユニット５０の第２の嵌合部５３は、光源ユニット５０の灯具ユニット２０への嵌合に応じて、灯具ユニット２０の外郭部２１（突出部２３）と熱的に接続される。第２実施形態では、第２の嵌合部５３は、伝熱の観点から、典型的には、熱伝導率が高い銅やアルミニウムなどの金属材料によって構成される。なお、第２の嵌合部５３は、鉄などの他の金属材料によって構成されてもよく、強度、熱伝導率を確保することができるのであれば、金属材料以外の樹脂材料等によって構成されてもよい。
【０１８６】
図１７は、伝熱の様子を示す模式的な側方断面図である。図１７に示すように、光源ユニット５０の光源部５６で発生した熱は、ヒートシンク５７、第１の伝熱部７１を介して第１の嵌合部３２へと伝わる。第１の嵌合部３２へと伝わった熱は、灯具ユニット２０の突出部２３から外郭部２１へと伝わり、外郭部２１から放熱される。
【０１８７】
一方、光源ユニット５０の光源制御基板５９、機能部制御基板６０、無線通信基板６１、付加機能部５８で発生した熱は、伝熱板７２ａ、第２の伝熱部７２を介して第１の嵌合部３２へと伝わる。第１の嵌合部３２へと伝わった熱は、灯具ユニット２０の突出部２３から外郭部２１へと伝わり、外郭部２１から放熱される。
【０１８８】
＜作用等＞
第２実施形態では、光源ユニット５０の第２の嵌合部５３が、灯具ユニット２０の第１の嵌合部３２への嵌合に応じて、灯具ユニット２０の外郭部２１と熱的に接続される。つまり、本実施形態では、灯具ユニット２０及び光源ユニット５０の機械的な接続／解除と、熱的な接続／解除とが連動して行われるので、ユーザは、機械的な接続／解除を行うことで、自動的に熱的な接続／解除を行うことができる（かつ、上述のように、電気的な接続／解除も行うことができる）。
【０１８９】
また、第２実施形態では、灯具ユニット２０の外郭部２１に突出部２３が設けられているので、光源ユニット５０の第２の嵌合部５３と、灯具ユニット２０の外郭部２１との間の接触性を向上させることができる。これにより、光源ユニット５０及び灯具ユニット２０の間の熱的な接続性を向上させることができる。お、外郭部２１側ではなく、第２の嵌合部５３側に突出部２３が設けられていてもよい（この場合、突出部２３は、外郭部２１に向けて突出する）。あるいは、外郭部２１及び第２の嵌合の両方に突出部２３が設けられていてもよい。
【０１９０】
また、第２実施形態では、光源ユニット５０において、光源部５６、光源制御基板５９、機能部制御基板６０、無線通信基板６１、付加機能部５８等の発熱源で発生した熱を第２の嵌合部５３へと導く伝熱部７０が設けられている。従って、これらの発熱源で発生した熱を適切に第２の嵌合部５３へと導くことができる。
【０１９１】
また、第２実施形態では、伝熱部７０が、第１の伝熱部７１及び第２の伝熱部７２の２つの経路に分離して構成されている。ここで、伝熱部７０が１つの経路である場合、光源部５６によって発生した高い熱が、伝熱部７０を伝わって、熱に弱い光源制御基板５９、機能部制御基板６０等に伝達してしまい、光源制御基板５９、機能部制御基板６０等が熱による悪影響を受けてしまう場合がある。
【０１９２】
このため、第２実施形態では、伝熱部７０が、第１の伝熱部７１及び第２の伝熱部７２の２つの経路に分離して構成されている。具体的は、第１の伝熱部７１が、発熱の温度が高い光源部５６からの熱を第２の嵌合部５３へと導くように構成されている。一方、第２の伝熱部７２が、発熱の温度が光源部５６よりも低く、かつ、熱に弱い光源制御基板５９、機能部制御基板６０などによって発生した熱を第２の嵌合部５３へと導くように構成されている。これにより、熱に弱い光源制御基板５９、機能部制御基板６０等の部材が、光源部５６で発生した高い熱による悪影響を受けてしまうことを防止することができる。
【０１９３】
＜第２実施形態変形例＞
次に、第２実施形態の変形例について説明する。図１８は、第２実施形態の変形例に係るダウンライト５００を示す模式的な側方断面図である。
【０１９４】
第２実施形態の変形例では、光源ユニット５０における第２の嵌合部５３が第１の嵌合部材８１と、第２の嵌合部材８２との２つの部材に分離して構成されている点で、上述の第２実施形態とは異なっている。
【０１９５】
図１８に示すように、第２の嵌合部５３は、中央近傍において第１の嵌合部材８１及び第２の嵌合部材８２の２つの部材に分離されている。第１の嵌合部材８１と、第２の嵌合部材８２との間には、例えば、熱伝導率が低い樹脂材料等によって構成された断熱部８３が介在される。
【０１９６】
第１の嵌合部材８１の下面には、第１の伝熱部７１の上部が接続されており、従って、第１の嵌合部材８１には、第１の伝熱部７１からの熱（つまり、光源部５６の熱）が伝達される。一方、第２の嵌合部材８２の下面には、第２の伝熱部７２の上部が接続されており、第２の伝熱部７２からの熱（つまり、光源制御基板５９、機能部制御基板６０等の熱）が伝達される。
【０１９７】
第２実施形態変形例では、第２の嵌合部５３が第１の嵌合部材８１及び第２の嵌合部材８２の２つの部材に分離されているため、光源ユニット５０において、伝熱経路をさらに適切に分離することができる。従って、熱に弱い光源制御基板５９、機能部制御基板６０等の部材が、光源部５６で発生した高い熱による悪影響を受けてしまうことをさらに適切に防止することができる。
【０１９８】
図１８では、第１の嵌合部材８１と、第２の嵌合部材８２とが同じ面積（ＸＹ方向）とされているが、これらの面積は、伝達される熱の高さに応じて異なっていてもよい。例えば、相対的に高い熱が伝達される第１の嵌合部材８１の面積が、相対的に低い熱が伝達される第２の嵌合部材８２の面積よりも広くされてもよい。
【０１９９】
《各種変形例》
以上の説明では、埋め込み型照明装置の一例として、天井に埋め込まれて使用されるダウンライト１００を例に挙げて説明した。一方、埋め込み型照明装置は、側壁部など、天井以外の壁部に埋め込まれて使用されてもよい。
【０２００】
なお、本技術は以下のような構成もとることができる。
（１）  天井を含む壁部に埋め込まれる外郭部と、第１の嵌合部と有する灯具ユニットと、
照明としての光を発する光源部と、前記照明以外の付加機能を有する付加機能部と、前記第１の嵌合部に着脱自在に嵌合する第２の嵌合部とを有し、前記嵌合により前記外郭部内に配置される光源ユニットと
を具備する埋め込み型照明装置。    
（２）  （１）に記載の埋め込み型照明装置であって、
前記第２の嵌合部は、前記第１の嵌合部に着脱自在に嵌合する羽根部を有する
埋め込み型照明装置。
（３）  （２）に記載の埋め込み型照明装置であって、
第２の嵌合部は、側周面を有する嵌合部本体をさらに有し、
前記羽根部は、前記嵌合部本体の側周面に設けられる
埋め込み型照明装置。
（４）  （２）又は（３）に記載の埋め込み型照明装置であって、
前記灯具ユニットは、前記羽根部を前記第１の嵌合部へと導くガイドをさらに有する
埋め込み型照明装置。
（５）  （４）に記載の埋め込み型照明装置であって、前記ガイドは、前記光源ユニットの移動に基づく前記羽根部の移動をガイドする第１のガイドと、前記光源ユニットの回転に基づく前記羽根部の回転をガイドする、前記第１のガイド及び前記第１の嵌合部と繋がる第２のガイドとを有する
埋め込み型照明装置。
（６）  （５）に記載の埋め込み型照明装置であって、
前記光源ユニットは、挿入方向に向けて移動されて前記外郭部内に挿入され、
前記第２のガイドは、前記光源ユニットの第１の回転方向への回転に応じて、前記羽根部を前記第１のガイドから前記第１の嵌合部へと導き、かつ、前記第１のガイトと繋がる位置に、前記第１の回転方向において前記挿入方向へ向けて傾斜する傾斜部を有する
埋め込み型照明装置。
（７）  （５）又は（６）に記載の埋め込み型照明装置であって、
前記光源ユニットは、挿入方向に向けて移動されて前記外郭部内に挿入され、
前記第２のガイドは、前記光源ユニットの第２の回転方向への回転に応じて、前記羽根部を前記第１の嵌合部から前記第１のガイドへと導き、
前記第１の嵌合部は、前記第２の回転方向において前記挿入方向へ向けて傾斜する底部を有し、
前記羽根部は、前記第１の嵌合部との嵌合時に前記底部と対向する、前記第２の回転方向で前記挿入方向へ向けて傾斜する対向面を有する
埋め込み型照明装置。
（８）  （１）〜（７）のうちいずれか１つに記載の埋め込み型照明装置であって、
前記灯具ユニットは、第１の端子をさらに有し、
前記光源ユニットは、前記第２の嵌合部の前記第１の嵌合部への嵌合に応じて、前記第１の端子に電気的に接続される第２の端子をさらに有する
埋め込み型照明装置。
（９）  （８）に記載の埋め込み型照明装置であって、
前記第１の端子及び前記第２の端子のうち少なくとも一方は、板バネにより構成される
埋め込み型照明装置。
（１０）  （８）又は（９）に記載の埋め込み型照明装置であって、
光源ユニットは、側周面を有する筐体を有し、
第２の端子は、前記側周面に設けられる
埋め込み型照明装置。
（１１）  （１）〜（１０）のうちいずれか１つに記載の埋め込み型照明装置であって、
前記第２の嵌合部は、前記１の嵌合部との嵌合に応じて、前記外郭部に対して熱的に接続される
埋め込み型照明装置。
（１２）  （１１）に記載の埋め込み型照明装置であって、
前記外郭部は、前記第２の嵌合部側に向けて突出し、前記第２の嵌合部と熱的に接続される突出部をさらに有する
埋め込み型照明装置。
（１３）  （１１）又は（１２）に記載の埋め込み型照明装置であって、
前記光源ユニットは、前記光源部を含む発熱源からの熱を前記第２の嵌合部へ伝達する伝熱部をさらに有する
埋め込み型照明装置。
（１４）  （１３）に記載の埋め込み型照明装置であって、
前記発熱源は、前記光源部を含む第１の発熱源と、前記光源部以外の発熱源を含む第２の発熱源とを有し、
前記伝熱部は、前記第１の発熱源の熱を前記第２の嵌合部に伝達する第１の伝熱部と、前記第２の発熱源の熱を前記第２の嵌合部へ伝達する第２の伝熱部とを有する
埋め込み型照明装置。
（１５）  （１４）に記載の埋め込み型照明装置であって、
前記第２の嵌合部は、前記第１の伝熱部から熱が伝達される第１の嵌合部材と、前記第１の嵌合部材とは分離して構成され、前記第２の伝熱部から熱が伝達される第２の嵌合部材とを有する
埋め込み型照明装置。
（１６）天井を含む壁部に埋め込まれる外郭部と、第１の嵌合部と有する灯具ユニットに着脱自在な光源ユニットであって、
照明としての光を発する光源部と、前記照明以外の付加機能を有する付加機能部と、前記第１の嵌合部に着脱自在に嵌合する第２の嵌合部とを有し、前記嵌合により前記外郭部内に配置される
光源ユニット。    
【符号の説明】
【０２０１】
１０…電源ユニット
１１…電源回路
２０…灯具ユニット
２１…外郭部
２３…突出部
３０…ソケット部
３２…第１の嵌合部
３４…第１のガイド部
３５…第２のガイド部
３６…第１の端子
５０…光源ユニット
５３…第２の嵌合部
５３ｂ…羽根部
５４…第２の端子
５６…光源部
５８…付加機能部
６３…駆動回路
６４…制御回路
６５…無線通信部
７０…伝熱部
７１…第１の伝熱部
７２…第２の伝熱部
８１…第１の嵌合部材
８２…第２の嵌合部材
１００、４００、５００…ダウンライト
【図１】
2019008938.tif 000003
【図２】
2019008938.tif 000004
【図３】
2019008938.tif 000005
【図４】
2019008938.tif 000006
【図５】
2019008938.tif 000007
【図６】
2019008938.tif 000008
【図７】
2019008938.tif 000009
【図８】
2019008938.tif 000010
【図９】
2019008938.tif 000011
【図１０】
2019008938.tif 000012
【図１１】
2019008938.tif 000013
【図１２】
2019008938.tif 000014
【図１３】
2019008938.tif 000015
【図１４】
2019008938.tif 000016
【図１５】
2019008938.tif 000017
【図１６】
2019008938.tif 000018
【図１７】
2019008938.tif 000019
【図１８】
2019008938.tif 000020
【国際調査報告】
2019008938.tif 000021
2019008938.tif 000022
2019008938.tif 000023
2019008938.tif 000024